(57)【要約】【解決手段】汚水処理装置は、流入汚水２８に対し微生物を働かせることによりその流入汚水２８を分解処理する嫌気処理を行う嫌気処理槽１と、この嫌気処理槽１で処理された処理汚水２９に対し酸素供給条件下で微生物を働かせることによりその処理汚水２９を分解処理する曝気槽２と、この曝気槽２で処理された処理汚水３０を処理汚泥３２と処理水３３とに分離する固液分離槽３とを備えている。この曝気槽２内ではその底壁１５に対しエア供給口１８ａを接近離間できるように移動調節可能に設けている。【効果】曝気槽２において処理汚水２９の水位や質に応じて最適な曝気を行うことができる。【選択図】図１
2006231128.tif 000002
【特許請求の範囲】
【請求項１】
流入汚水に対し前処理がなされた処理汚水に対し酸素供給条件下で微生物を働かせることによりその処理汚水を分解処理する曝気部を備えた汚水処理装置において、この曝気部内でその底部に対しエア供給口を接近離間できるように移動調節可能に設けたことを特徴とする汚水処理装置。
【請求項２】
前記エア供給口は前記曝気部の処理汚水内に導入されていることを特徴とする請求項１に記載の汚水処理装置。
【発明の詳細な説明】
【技術分野】
【０００１】
本発明は、微生物を利用した汚水処理装置に関するものである。
【背景技術】
【０００２】
下記特許文献１にかかる汚水処理装置は、流入汚水（８）に対し微生物を働かせることによりその流入汚水（８）を分解処理する嫌気処理を行う嫌気処理部（１，２）と、この嫌気処理部（１，２）で処理された処理汚水（１１）に対し酸素供給条件下で微生物を働かせることによりその処理汚水（１１）を分解処理する硝化処理部（３）と、この硝化処理部（３）で処理された処理汚水（１８）を処理汚泥（９）と処理水（２４）とに分離する固液分離部（５）とを備えている。
【特許文献１】特開２００３−３１１２９６号公報
【発明の開示】
【発明が解決しようとする課題】
【０００３】
前記硝化処理部（３）では、一般に、処理汚水（１１）の水位や、処理汚水（１１）の質（比重の重い繊維質のものなどが多く含まれる汚水、比重の軽い油分などが多く含まれる汚水）に関係なく、一定の場所で送風機（２８）から空気が送られている。そのため、硝化処理部（３）において処理汚水の水位や質に応じて最適な曝気を行うことが難しい。
【０００４】
この発明は、曝気部において処理汚水の水位や質に応じて最適な曝気を行うことを目的としている。
【課題を解決するための手段】
【０００５】
後記実施形態の図面（図１）の符号を援用して本発明を説明する。
請求項１の発明にかかる汚水処理装置は下記のように構成されている。
この汚水処理装置は、流入汚水（２８）に対し前処理がなされた処理汚水（２９）に対し酸素供給条件下で微生物を働かせることによりその処理汚水（２９）を分解処理する曝気部（２）を備えている。この曝気部（２）内でその底部（１５）に対しエア供給口（１８ａ）を接近離間できるように移動調節可能に設けている。この前処理とは、例えば、嫌気処理部（１）において流入汚水（２８）に対し微生物を働かせることによりその流入汚水（２８）を分解処理する嫌気処理である。さらに、通常は、この曝気部（２）で処理された処理汚水（３０）を処理汚泥（３２）と処理水（３３）とに分離する固液分離部（３）も備えている。
【０００６】
請求項１の発明を前提とする請求項２の発明において、前記エア供給口（１８ａ）は前記曝気槽（２）の処理汚水（２９）内に導入されている。
請求項１〜２の発明では、曝気部（２）内でエア供給口（１８ａ）を移動調節して底部（１５）に対するエア供給口（１８ａ）の距離（Ｌ）を変更することができる。従って、曝気部（２）内でその底部（１５）からの処理汚水（２９）の水位や、その処理汚水（２９）の質（比重の重い繊維質のものなどが多く含まれる汚水、比重の軽い油分などが多く含まれる汚水）に応じてエア供給口（１８ａ）の位置を調節することにより、最適な曝気を行うことができる。
【０００７】
請求項１または請求項２の発明を前提とする第３の発明において、前記前処理とは、嫌気処理部（１）において流入汚水（２８）に対し微生物を働かせることによりその流入汚水（２８）を分解処理する嫌気処理であり、この嫌気処理部（１）内で発生するガス（３１）を前記曝気部（２）内に導入する。第３の発明では、このガス（３１）を曝気部（２）内の処理汚水（２９）に接触させてその処理汚水（２９）の汚泥に吸着させると、その汚泥内の微生物によりガス（３１）を水等に分解することができる。従って、嫌気処理部（１）内で発生するガス（３１）を嫌気処理部（１）外へ放出することをなくして、汚水処理装置から発生する悪臭を防止することができる。
【０００８】
第３の発明を前提とする第４の発明において、前記ガス（３１）は前記曝気部（２）の処理汚水（２９）内に導入される。第４の発明では、ガス（３１）を曝気部（２）内の処理汚水（２９）でその汚泥に吸着させ易くなる。
【０００９】
第３の発明または第４の発明を前提とする第５の発明において、前記嫌気処理部（１）内には汚水滞留路（１０）を設け、前記流入汚水（２８）はこの汚水滞留路（１０）の入口（１１）側に供給され、前記ガス（３１）を前記曝気部（２）内に導入するガス管（１３）がこの汚水滞留路（１０）の出口（１２）側に接続されている。第５の発明では、嫌気処理部（１）内の汚水滞留路（１０）によりガス（３１）の発生を助長し、より多くのガス（３１）を曝気部（２）内で水等に分解して汚水処理装置から発生する悪臭をより一層防止することができる。ちなみに、このガス（３１）の発生を多くすれば、曝気部（２）に供給される処理汚水（２９）を減量することができる。
【発明の効果】
【００１０】
本発明は、曝気部（２）において処理汚水（２９）の水位や質に応じて最適な曝気を行うことができる。
【発明を実施するための最良の形態】
【００１１】
以下、本発明の一実施形態にかかる汚水処理装置について図１を参照して説明する。
この汚水処理装置は大別して下記の嫌気処理槽１（嫌気処理部）と曝気槽２（曝気部）と固液分離槽３（固液分離部）とを備えている。
【００１２】
前記嫌気処理槽１においては、外壁４が底壁５と周壁６と天井壁７とからなり、この外壁４内には汚水滞留部８が設けられている。この汚水滞留部８においては、周壁６で相対向する両側壁６ａ，６ｂのうち、一方の側壁６ａから他方の側壁６ｂへ向けて底壁５と平行に延設された複数の仕切板９と、他方の側壁６ｂから一方の側壁６ａへ向けて底壁５と平行に延設された複数の仕切板９とが、底壁５から天井壁７にわたり上下方向で交互に配設され、この底壁５と各仕切板９と天井壁７との間で汚水滞留路１０が設けられている。この汚水滞留路１０においては、底壁５と最下の仕切板９との間の最下通路１０ａに連通された入口１１が一方の側壁６ａに設けられ、最上の仕切板９と天井壁７との間の最上通路１０ｂに連通された出口１２が他方の側壁６ｂに設けられている。この最上通路１０ｂにはガス管１３が天井壁７から導入されている。
【００１３】
前記曝気槽２においては、外壁１４が底壁１５（底部）と周壁１６と天井壁１７とからなり、この外壁１４内には複数のエア供給管１８が天井壁１７から底壁１５に向けて外壁１４内の下半部まで導入されている。この各エア供給管１８の下端部には外壁１４内でエア供給口１８ａが設けられている。この各エア供給管１８はそれらのエア供給口１８ａが底壁１５に対し接近離間できるように上下方向へ移動調節可能に支持され、その移動調節により底壁１５に対するエア供給口１８ａの距離Ｌを変更することができる。前記嫌気処理槽１からのガス管１３も天井壁１７から底壁１５に向けて外壁１４内の下半部まで導入されている。周壁１６の下半部には前記嫌気処理槽１の出口１２に対し搬送管１９により接続された入口２０が設けられている。周壁１６の上半部には出口２１が設けられている。なお、この搬送管１９には堰またはポンプ（図示せず）が設けられている。
【００１４】
前記固液分離槽３においては、沈澱槽２２の上端部に環状の溢水路２３が設けられているとともにこの溢水路２３の内側で入口２４が設けられ、この入口２４と前記曝気槽２の出口２１とが搬送管２５により堰またはポンプ（図示せず）を介して接続されている。沈澱槽２２の下端部に設けられた出口２６は前記嫌気処理槽１の入口１１に対し搬送管２７により接続されている。
【００１５】
前記嫌気処理槽１において、流入汚水２８は、入口１１から汚水滞留路１０に供給され、その汚水滞留路１０を通って出口１２に到る間に微生物の働きにより嫌気処理されて分解処理され、その出口１２から搬送管１９及びその堰またはポンプ（図示せず）を通って前記曝気槽２の入口２０に処理汚水２９として供給される。なお、嫌気処理槽１内で流入汚水２８が少ない場合には、ポンプ（図示せず）により汚水滞留路１０の最下通路１０ａから流入汚水２８が曝気槽２の入口２０に供給される。
【００１６】
前記曝気槽２内において、嫌気処理槽１からの処理汚水２９内には前記ガス管１３及び各エア供給管１８のエア供給口１８ａが導入され、この処理汚水２９は、エア供給口１８ａからの酸素供給条件下で微生物の働きにより好気処理されて分解処理され、その出口２１から搬送管２５及びその堰またはポンプ（図示せず）を通って前記固液分離槽３の入口２４に処理汚水３０として供給される。
【００１７】
前記嫌気処理槽１で発生したメタンやアンモニア等のガス３１は、前記ガス管１３を通って曝気槽２内の処理汚水２９に供給され、その処理汚水２９の汚泥に吸着されてその汚泥内の微生物により水等に分解される。
【００１８】
一般に、前記エア供給口１８ａについては、曝気槽２内で処理汚水２９の水位が上がればそれに合わせて上動させ、その水位が下がればそれに合わせて下動させることにより、エア供給口１８ａを処理汚水２９内に常時導入させることができる。また、一般に、同じ水位でも、比重の重い繊維質のものなどが多く含まれる処理汚水２９ではエア供給口１８ａを下側寄りに位置させ、比重の軽い油分などが多く含まれる処理汚水２９ではエア供給口１８ａを上側寄りに位置させ、処理汚水２９の下層で比重の重い繊維質のものなどが多く含まれるとともに処理汚水２９の上層で比重の軽い油分などが多く含まれる場合にはエア供給口１８ａを処理汚水２９の下層まで下動させる。いずれも処理汚水２９において比重の重いものと比重の軽いものとが互いに混合され易くなる。
【００１９】
前記固液分離槽３においては、沈澱槽２２で処理汚水３０から処理汚泥３２が沈澱して分離されるとともに上澄水が分離され、その処理汚泥３２が出口２６から搬送管２７を通ってポンプ（図示せず）により搬送されて前記嫌気処理槽１の入口１１に返送されるとともに、その上澄水が処理水３３として溢水路２３から搬出される。
【図面の簡単な説明】
【００２０】
【図１】本実施形態にかかる汚水処理装置を概略的に示すシステム図である。
【符号の説明】
【００２１】
１…嫌気処理槽、２…曝気槽、１５…曝気槽の底壁、１８ａ…エア供給口、２８…流入汚水、２９…嫌気処理槽からの処理汚水。
【図１】
2006231128.tif 000003